(57)【要約】【課題】    ＳＡＭ用ＩＣカード又は、ＳＡＭチップを新規に装置に追加登録する場合や、交換する場合にＡＴＭ、ＣＤなどの装置が取引中止になる時間（ダウンタイム）を短くする。また、ＳＡＭチップの取扱いを容易にする。【解決手段】    ＳＡＭチップによってＩＣカードの認証を行うＩＣカードリーダライタにおいて、ＩＣカードの挿入及び排出を行うカード挿入口と、挿入されたＩＣカードの情報の読み取り及び書き込みを行うＩＣ接点部と、ＳＡＭチップを搭載するＳＡＭチップ搭載部とを有し、カード挿入口を介してＳＡＭチップを装填可能とした。ＳＡＭチップ搭載部は、カード挿入口から挿入されＳＡＭチップが搭載されたＩＣカードと同一形状のＳＡＭチップホルダを維持する機構を有し、ＳＡＭチップホルダーは、ＩＣカードの搬送機構によってＳＡＭチップ搭載部へ搬送される。【選択図】  図２
2014228906.tif 000002
【特許請求の範囲】
【請求項１】
ＳＡＭチップによってＩＣカードの認証を行うＩＣカードリーダライタであって、
前記ＩＣカードの挿入及び排出を行うカード挿入口と、
前記挿入されたＩＣカードの情報の読み取り及び書き込みを行うＩＣ接点部と、
前記ＳＡＭチップを搭載するＳＡＭチップ搭載部と、
を有し、
前記カード挿入口を介して、前記ＳＡＭチップを装填可能とすることを特徴とするＩＣカードリーダライタ。
【請求項２】
請求項１に記載のＩＣカードリーダライタであって、
前記ＳＡＭチップ搭載部は、前記カード挿入口から挿入され前記ＳＡＭチップが搭載されたＩＣカードと同一形状のＳＡＭチップホルダを維持する機構を有し、
前記ＳＡＭチップホルダーは、前記ＩＣカードの搬送機構によって前記ＳＡＭチップ搭載部へ搬送されることを特徴とするＩＣカードリーダライタ。
【請求項３】
請求項２に記載のＩＣカードリーダライタであって、
前記ＳＡＭチップホルダは、複数のＳＡＭチップを搭載する機構を有することを特徴とするＩＣカードリーダライタ。
【請求項４】
請求項２に記載のＩＣカードリーダライタであって、
前記ＳＡＭチップホルダは磁気ストライプを有しており、
前記磁気ストライプに記録した照合用データが予め定めたデータと比較照合することによって、前記ＳＡＭチップホルダの真偽判定を行うことを特徴とするＩＣカードリーダライタ。
【請求項５】
請求項２に記載のＩＣカードリーダライタであって、
前記ＳＡＭチップホルダはＩＣチップを有しており、
前記ＩＣチップに記録した照合用データが予め定めたデータと比較照合することによって、前記ＳＡＭチップホルダの真偽判定を行うことを特徴とするＩＣカードリーダライタ。
【発明の詳細な説明】
【技術分野】
【０００１】
本発明はＳＡＭチップを搭載したＩＣカードリーダライタに関する。
【背景技術】
【０００２】
ＡＴＭ、ＣＤなどの高いセキュリティが要求される装置では、従来の磁気ストライプのデータのみを記録するカードに加えて、ＩＣチップを搭載したＩＣカードの取り扱いも可能なＩＣカードリーダを搭載した装置が普及されてきている。このようなＩＣカードリーダでは、セキュリティを維持したＩＣカードの認証のためにＳＡＭ（ＳＥＣＵＲＥ  ＡＰＰＬＩＣＡＴＩＯＮ  ＭＯＤＵＬＥ）と呼ばれるＩＣカード又は、ＩＣカードよりも小さいＳＡＭチップを挿入するためのソケットを有するユニットをＩＣカードリーダ・ライタの内部や表面に設置するものがある。また、他の方法としてはＩＣカードリーダ・ライタから離れた場所のＡＴＭの筐体内に別モジュールとして設置する方式がある。従来、この種の装置としては、特開平１１−７５０９号公報（特許文献１）に記載のものがあった。
【先行技術文献】
【特許文献】
【０００３】
【特許文献１】特開平１１−７５０９号公報
【発明の概要】
【発明が解決しようとする課題】
【０００４】
前記従来例によれば、ＳＡＭ用ＩＣカード又は、ＳＡＭチップを新規に装置に装着する場合や、交換する場合には、ＡＴＭ、ＣＤなどの装置の取引を停止させて筐体の扉を開け、ＩＣカードリーダライタの内部や表面に設置されたソケットにアクセスする必要があり、装置が取引中止になる時間（ダウンタイム）が長くなるという問題があった。
【０００５】
また、ＳＡＭチップの場合は外形がＩＣカードよりも小さいため、取扱いが難しいという問題があった。
【課題を解決するための手段】
【０００６】
本発明では、ＳＡＭチップをＩＣカードとほぼ同じ外形のＳＡＭチップホルダに装着した後に、ＩＣカードリーダ・ライタのカード挿入口からそのＳＡＭチップホルダを挿入し、ＩＣカードリーダ・ライタの内部に設置されたＳＡＭチップ用の接点部に搬送するように構成した。また複数のＳＡＭチップをＳＡＭチップホルダに装着する構成も可能とした。
【発明の効果】
【０００７】
本発明のＩＣカードリーダ・ライタの構造では、ＩＣカード形状のＳＡＭチップホルダに挿入したＳＡＭチップを顧客用のＩＣカード挿入口からＩＣカードリーダ・ライタ内に挿入し、カード搬送の経路上又は、搬送系路から分岐した部分の設置したＳＡＭコネクタに接触させる構造としたので、ＳＡＭチップの追加または、交換の時にＡＴＭ、ＣＤなどの装置の筐体扉を開ける必要が無い。筐体扉を開けずにＳＡＭチップを追加または、交換できるため、新規ＩＣカードの取り扱い開始のために装置が取引中止になる時間（ダウンタイム）が短縮できる。
【０００８】
またＳＡＭチップホルダをＩＣカードカード挿入口からＳＡＭチップを挿入できるので、筐体の扉を開けること及び、ＩＣカードリーダ・ライタ内部や表面に設置されたソケットにアクセスすることが不要になるので特別に訓練された保守係員以外での対応が可能になるという効果がある。
【０００９】
また、小さいＳＡＭチップをＩＣカード形状のＳＡＭチップホルダに装着する構成としたのでハンドリングが容易になる、という効果がある。
【図面の簡単な説明】
【００１０】
【図１】従来のＩＣカードリーダライタの一例を示した構成図である。
【図２】本発明の実施例におけるＩＣカードリーダライタの構成図である。
【図３】本発明の実施例におけるＩＣカードリーダライタの構成図である。
【図４】本発明の実施例におけるＳＡＭチップホルダの構成図である。
【図５】本発明の実施例におけるＳＡＭチップホルダの構成図である。
【図６】本発明の実施例におけるＳＡＭチップホルダの構成図である。
【図７】本発明の実施例におけるＳＡＭチップホルダの構成図である。
【図８】本発明の実施例におけるＳＡＭチップホルダの構成図である。
【図９】本発明の実施例におけるＩＣカードリーダライタの構成図である。
【発明を実施するための形態】
【００１１】
ＡＴＭ、ＣＤ等に使用されるＩＣカードリーダ・ライタにおいて、ＳＡＭチップの追加及び、交換が短時間でかつ、容易に実施出来るようにするために、ＳＡＭチップをＩＣカードとほぼ同じ外形のＳＡＭチップホルダに装着した後に、ＩＣカードリーダ・ライタの顧客用ＩＣカード挿入口からＳＡＭチップホルダを挿入し、ＩＣカードリーダ・ライタの内部に設置されたＳＡＭチップ用の接点部に搬送するという構成とした。
【実施例１】
【００１２】
図１は、ＡＴＭ、ＣＤ等の装置に使用される、従来のＩＣカードリーダライタ１００の構成例であって、（Ａ）は上方から見た上面図、（Ｂ）は横から見た側面図である。
【００１３】
ＩＣカードリーダライタ１００は、ＩＣカードを挿入し排出するカード挿入口１０６と、装置内の所定の位置にカードを搬送する搬送路１０８と、複数の搬送ローラ１０５と、カードの磁気データを読み取る磁気ヘッド１０７と、ＩＣカードに搭載されたＩＣチップのデータの読み書きを行う顧客ＩＣカード用ＩＣ接点１０４を有する。
【００１４】
ＩＣカードの通常取引の場合は、カード挿入口１０６から挿入された顧客用ＩＣカードは、２対から４対の搬送ローラ１０５によって顧客ＩＣカード用ＩＣ接点１０４まで搬送されてＩＣカードの接点と顧客カード用ＩＣ接点１０４が接触した後にＩＣカード取引を実施する。
【００１５】
さらにＩＣカードリーダライタ１００は、顧客カードの認証をするために使用されるＳＡＭ（ＳＥＣＵＲＥ  ＡＰＰＬＩＣＡＴＩＯＮ  ＭＯＤＵＬＥ）と呼ばれるＩＣカードよりも小さいＳＡＭチップ１０１を装着するためのＳＡＭソケット１０２を有するユニット１０３をＩＣカードリーダライタ１００の上部に設置している。
【００１６】
図１の（Ｂ）側面図に示すように、ＳＡＭソケット１０２は上方に開けてＳＡＭチップ１０１を取り外すことができる。このような従来のＩＣカードリーダライタ１００においては、ＳＡＭの追加又は、交換の際には、筐体の扉または装置のブラケットを取外す必要があった。
【００１７】
図２は、本実施例におけるＩＣカードリーダライタ２００の上面図（Ａ）及び側面図（Ｂ）であって、本体ユニット２０１とＳＡＭ用接点ユニット２１２とから構成されている。本体ユニット２０１は、ＩＣカードの挿入排出を行うカード挿入口２０６と、カードを搬送する搬送路２０８及び複数の搬送ローラ２０５と、カードの表面及び裏面の磁気ストライプを読み取る磁気ヘッド２１４ａ及び２１４ｂと、顧客ＩＣカード用ＩＣ接点２０４と、を有する。
【００１８】
さらにＩＣカードリーダライタ２００の後部（カード挿入口２０６と反対側）には、ＩＣカードとほぼ同一形状のＳＡＭチップホルダ４００に搭載されたＳＡＭチップ４０１の情報を読み取るＳＡＭ用接点２１３と、ＳＡＭチップホルダ４００を搬送する搬送路２０８ａ及び搬送ローラ２１９とを内部に設置したＳＡＭ用接点ユニット２１２を備える。なお、搬送ローラ２１９は、ＩＣカードリーダ・ライタの搬送ローラ２０５と独立して駆動できる。
【００１９】
顧客カード用ＩＣ接点２０４は通常、数十万回から１００万回取引の耐久性を要求される。また顧客カードの表面に傷を付けないことが要求されるため、図示しないソレノイド等のアクチュエータを使用してカードの厚み方向に可動可能に構成し、ＩＣカードの搬送時は上部に退避させ、読取時のみＩＣカードのＩＣチップ部分だけにＩＣ接点２０４を接触させるように構成している。
【００２０】
一方、ＳＡＭ用接点２１３は通常取引時にはＳＡＭチップ４０１と接触したままの状態であること、及び、ＳＡＭチップ４０１の交換回数が少ないことから、数百回程度の耐久性でも問題が無い。よってＳＡＭ用接点２１３はカードの厚み方向に可動させる必要が無く、接点部２１３を図示しない板バネ又はねじりコイルバネで構成したものを固定するようにした。あるいは、ＳＡＭ用接点２１３は市販のＩＣカード用コネクタをそのまま使うことも出来る。
【００２１】
図４は、本発明の実施例１で使用される、ＳＡＭチップ４０１を保持するためのＳＡＭチップホルダ４００である。（Ａ）はＳＡＭチップホルダ４００単体の上部から見た上面図であり、（Ｂ）はＳＡＭチップ４０１を取り付けた状態の上面図である。ＳＡＭチップホルダ４００の外形は、ＳＡＭチップ固定用つめ４０９の部分を除いて顧客用のＩＣカードとほぼ同じである。ＳＡＭチップホルダ４００にはＳＡＭチップ４０１を固定するための開口部４０８を有する。
【００２２】
ＳＡＭチップホルダ４００の開口部４０８の内側の周囲にはＳＡＭチップ４０１を固定するためのＳＡＭチップ固定用つめ４０９が複数箇所設置されている。このＳＡＭチップ固定用つめ４０９はゴム又はエラストマー等の変形可能な素材で作製し、その内側端部にはＳＡＭチップ４０１の厚みと同等のスリットを構成する。
【００２３】
ＳＡＭチップ４０１をＳＡＭチップホルダ４００に取付ける場合は、ＳＡＭチップ固定用つめ４０９を変形させてその端部の隙間に固定する。ＳＡＭチップ固定用つめ４０９はＳＡＭチップホルダ４００の開口部４０８の周囲に複数個設置されているため、ＳＡＭチップ１はＳＡＭチップホルダ４００の中で固定される。この時、ＳＡＭチップ４０１のＩＣ接点パッドの位置が顧客用のＩＣカードのＩＣ接点パッドの位置と同じになるように開口部４０８を構成する。
【００２４】
図６はＳＡＭチップホルダ４００の変形例として、複数のＳＡＭチップを搭載可能なＳＡＭチップホルダ６００の構成図である。（Ａ）はＳＡＭチップホルダ６００単体の上部から見た上面図であり、（Ｂ）はＳＡＭチップ６０１Ａ及び６０１Ｂを取り付けた状態の上面図である。ＳＡＭチップホルダ６００は２個の開口部６０８Ａ及び６０８Ｂと、ＳＡＭチップを固定する複数のツメ６０９Ａ及び６０９Ｂを有しており、２個のＳＡＭチップ６０１Ａ及び６０１Ｂを取り付けることができる。
【００２５】
同様に、図７は４個ＳＡＭチップを搭載可能なＳＡＭチップホルダ７００の構成図であり、開口部７０８Ａ〜７０８Ｄ、ツメ部７０９Ａ〜７０９Ｄを有しており、４個のＳＡＭチップ７０１Ａ〜７０１Ｄを取り付けることができる。
【００２６】
なお、上述のような複数のＳＡＭチップを搭載したＳＡＭチップホルダを使用する場合は、ＳＡＭ用接点２１３をＳＡＭチップの数に合わせて複数設ける等の構成を採用することができる。
【００２７】
図２に戻ってＳＡＭの新規追加の場合の動作を説明する。ＩＣカードリーダライタ２００を搭載したＡＴＭ、ＣＤなどの装置からの指示でＩＣカードリーダライタ２００を通常の取引モードから保守モードに変更した後に、ＳＡＭチップ４０１を固定したＳＡＭチップホルダ４００をカード挿入口２０６に挿入すると、ＳＡＭチップホルダ４００はＳＡＭ用接点ユニット２１２まで搬送され、ＳＡＭ用接点２１３にＳＡＭチップ４０１が接触する。この状態でＩＣカードリーダライタ２００を保守モードから通常の取引モードに戻す。その後ＳＡＭチップ４０１がＳＡＭ用接点ユニット２１２の中にある状態で通常取引を開始するが、その取引動作や処理については説明を省略する。
【実施例２】
【００２８】
図３は、本発明の実施例２におけるＩＣカードリーダライタ３００の上面図（Ａ）及び側面図（Ｂ１、Ｂ２）であって、本体ユニット３０１と、カード回収ユニット３１５と、ＳＡＭ用接点ユニット３１２と、カード回収箱３１７とから構成されている。実施例２では、実施例１の構成にカード回収機能を追加したものであって、ＡＴＭ、ＣＤなどの装置において実施されるカード回収動作に対応させたものである。なお、本実施例では、実施例１と同様の図４に示すようなＳＡＭチップ４０１がＳＡＭチップホルダ４００に搭載されたものを使用するものとして説明するが、図６や図７に示した複数のＳＡＭチップを搭載したＳＡＭチップホルダを使用することもできる。その場合、必要に応じてＳＡＭ用接点３１３を複数設ける等の構成を採用することができる。
【００２９】
本体ユニット３０１は、実施例１の本体ユニット２０１と同様に、ＩＣカードの挿入排出を行うカード挿入口３０６と、カードを搬送する搬送路３０８及び複数の搬送ローラ３０５と、カードの表面及び裏面の磁気ストライプを読み取る磁気ヘッド３１４ａ及び３１４ｂと、顧客ＩＣカード用ＩＣ接点３０４と、を有する。
【００３０】
ＩＣカードリーダライタ３００の最後部には、実施例１のＳＡＭ用接点ユニット２１２と同様のＳＡＭ用接点ユニット３１２を配置している。ＳＡＭ用接点ユニット３１２は、ＩＣカードとほぼ同一形状のＳＡＭチップホルダ４００に搭載されたＳＡＭチップ４０１の情報を読み取るＳＡＭ用接点３１３と、ＳＡＭチップホルダ４００を搬送する搬送路３０８Ａ及び搬送ローラ３１９とを備える。なお、搬送ローラ３１９は、本体ユニット３０１の搬送ローラ３０５と独立して駆動できる。
【００３１】
ＳＡＭ用接点ユニット３１２と本体ユニット３０１との間には顧客用カードを、下部に設けたカード回収箱３１７に回収するためのカード回収ユニット３１５が設置されている。カード回収ユニット３１５の内部には、フラッパー３１６と、カードを搬送する搬送路３０８Ｂ及び搬送ローラ３２０とが設置されている。フラッパー３１６は通常取引時には図（Ａ）の３１６ａの状態にあり、顧客用カードを回収する場合にはソレノイドなどの図示しないアクチュエータによって図（Ｂ）の３１６ｂの状態にその方向を変える。
【００３２】
顧客用カードを回収する場合は、カードをカード挿入口３０６側から後方に搬送して、フラッパー３１６が３１６ｂの状態に向きを変えることよって、通常取引のカード搬送路３０８Ｂから分離してカード回収箱３１７に収納する。回収されたカード３１８は、カード回収箱３１７に保管される。カード回収動作の終了後に、フラッパー３１６は３１６ａの状態に戻る。
【００３３】
ＳＡＭの新規追加の場合は、ＩＣカードリーダライタ３００を搭載したＡＴＭ、ＣＤなどの装置からの指示でＩＣカードリーダライタ３００を通常の取引モードから保守モードに変更した後に、ＳＡＭチップ４０１を固定したＳＡＭチップホルダ４００をカード挿入口３０６に挿入すると、ＳＡＭチップホルダ４００はカード回収ユニット３１５を通過して、ＳＡＭ用接点ユニット３１２まで搬送され、ＳＡＭ用接点３１３にＳＡＭチップ４０１が接触する。
【００３４】
この状態でＩＣカードリーダライタ３００を保守モードから通常の取引モードに戻す。その後ＳＡＭチップ４０１がＳＡＭ用接点ユニット３１２の中にある状態で通常取引を開始するが、その取引動作や処理については説明を省略する。
【実施例３】
【００３５】
図９は、本発明の第３の実施例におけるＩＣカードリーダライタ９００の側面図であって、第２の実施例と同様に、本体ユニット９０１と、ＳＡＭ用接点ユニット９２１と、カード回収ユニット９２４とから構成されているが、カード回収ユニット９２４を最後部に配置した点で、第２実施例のＩＣカードリーダライタ３００とは異なる。この構成とすることによって回収されたカード９１８の取り出しが容易となっている。
【００３６】
ＩＣカードリーダライタ９００は、ＳＡＭ用接点９１３を内部に設置したＳＡＭ用接点ユニット９２１をカード回収ユニット９２４と本体ユニット９０１との間に配置している。
【００３７】
本体ユニット９０１は、ＩＣカードの挿入排出を行うカード挿入口９０６と、カードを搬送する搬送路９０８及び複数の搬送ローラ９０５と、カードの表面及び裏面の磁気ストライプを読み取る磁気ヘッド９１４ａ及び９１４ｂと、顧客ＩＣカード用ＩＣ接点９０４と、を有する。
【００３８】
ＳＡＭ用接点ユニット９２１は本体ユニット９０１の搬送ローラ９０５と独立して駆動できるカード搬送用ローラ（ＳＡＭ用）９２３及びフラッパー９２２が設置されている。フラッパー９２２は通常取引時には９２２ａの状態にあり、ＳＡＭチップホルダ４００を通常取引のカード搬送系路から切り離して、ＳＡＭ用接点９１３に接触させる場合には、図示しないソレノイドなどのアクチュエータによって９２２ｂの状態に移動する。ＳＡＭチップホルダ４００をＳＡＭ用接点９１３に接触させた後にフラッパー９２２は９２２ａの状態に戻る。
【００３９】
顧客用カードを回収する場合は、フラッパー９２２を９２２ａの状態にして回収ユニット９２４の方へ搬送し、搬送ローラ９２５にて回収箱９１７へ投入され、回収カード９１８として保管される。ＳＡＭの新規登録・追加等における動作は基本的に実施例２と同様であるため、説明は省略する。
【実施例４】
【００４０】
図５は、本発明の実施例４において用いるＳＡＭチップホルダ５００の外観図を示している。本実施例はカード挿入口から挿入されるＳＡＭチップホルダ５００が正規のものであることを確認し不正を防止する機能を追加したものである。磁気ストライプ５１０には予め設定したデータを記録しておく。なお、ＳＡＭチップホルダ５００は外観形状を通常のキャッシュカードとほぼ等しくしており、磁気ストライプ５１０を設けている。その他、ＳＡＭチップ５０１を搭載するための開口部５０８、ＳＡＭチップを固定するツメ５０９は、図４に示したＳＡＭチップホルダ４００と同様である。
【００４１】
図２を用いて、上述のＳＡＭチップホルダ５００によるＳＡＭの新規追加の場合の動作を説明する。本実施例では、図２（Ａ）のＳＡＭチップホルダ４００が上述の図５に示すＳＡＭチップホルダ５００が適用される。
【００４２】
ＩＣカードリーダライタ２００が搭載されたＡＴＭ、ＣＤなどの装置からの指示で、ＩＣカードリーダライタ２００を通常の取引モードから保守モードに変更した後に、ＳＡＭチップ５０１を固定したＳＡＭチップホルダ５００をカード挿入口２０６に挿入する。
【００４３】
ＳＡＭチップホルダ５００は搬送ローラ２０５によって磁気ヘッド２１４ａを通過する。この時に磁気ストライプ５１０に記録されたデータを読取り、予めＡＴＭやＣＤ等の装置もしくはＩＣカードリーダライタ２００の制御部等に設定した照合用データと照合して一致する場合は、ＳＡＭチップホルダ５００はＳＡＭ用接点ユニット２１２まで搬送され、ＳＡＭ用接点２１３にＳＡＭチップ５０１が接触し、後の認証等の動作を実施する（説明省略）。
【００４４】
磁気ストライプ５１０に記録されたデータと照合用データとが一致しない場合又は、磁気ストライプ５１０のデータが無い場合は、ＳＡＭチップホルダ５００が正規のものでない可能性があるため、ＳＡＭ用接点ユニット５１２には搬送せず、上位装置にエラー又は警報・異常等を報告したり、ＳＡＭチップホルダ５００をカード挿入口２０６から排出する等の処理を行う。以降の処理については説明を省略する。
【００４５】
図８に本実施例の変形例としてのＳＡＭチップホルダ８００を示す。ＳＡＭチップホルダ８００は、ＳＡＭチップを搭載するための開口部８０８及びツメ部８０９に加え、ＩＣチップ８１１を有しており、図５のＳＡＭチップホルダ５００の磁気ストライプ５１０に記録した照合用データをこのＩＣチップ８１１に登録している。ＩＣ接点２０４にてこのＩＣチップ８１１に記録されたデータを読み取って照合することで、上述と同様の機能が実現できる。
【符号の説明】
【００４６】
２００：ＩＣカードリーダライタ
２０１：本体ユニット
２１２：ＳＡＭ用接点ユニット
２０４：顧客カード用ＩＣ接点
２０５：カード搬送ローラ
２０６：カード挿入口
２０８：搬送路
４００：ＳＡＭチップホルダ
４０８：ＳＡＭチップホルダの開口部
４０９：ＳＡＭチップ固定用つめ
２１２：ＳＡＭ用接点ユニット
２１３：ＳＡＭ用接点
２１４：磁気ヘッド
２１９：カード搬送ローラ（ＳＡＭ用）
【図１】
2014228906.tif 000003
【図２】
2014228906.tif 000004
【図３】
2014228906.tif 000005
【図４】
2014228906.tif 000006
【図５】
2014228906.tif 000007
【図６】
2014228906.tif 000008
【図７】
2014228906.tif 000009
【図８】
2014228906.tif 000010
【図９】
2014228906.tif 000011